(57)【要約】［課題］  書類が少ない場合にでる無駄な隙間をなくするファイル。［解決手段］  パイプ（１）を持つ押さえ板Ａ（２）に、挿入部保持部（３）を設け、軸フレーム（４）を持つ押さえ板Ｂに、挿入部（６）を設け、挿入部（６）に複数の溝（７）を設け、凸部（８）を持つ固定部（９）を挿入部保持部（３）に取り付けたファイル。【選択図】  図１９
2004216848.tif 000002
【特許請求の範囲】
【請求項１】
パイプを持つ押さえ板Ａに、挿入部を設け、軸フレームを持つ押さえ板Ｂに、挿入部保持部を設け、挿入部に複数の溝を設け、凸部を持つ固定部を挿入部保持部に設けたファイルの閉じ具。
【請求項２】
パイプを持つ押さえ板Ａに、挿入部を設け、軸フレームを持つ押さえ板Ｂに、挿入部保持部を設け、挿入部に複数の溝を設け、凸部を持つ固定部を挿入部保持部側の押さえ板に設けたファイルの閉じ具。
【請求項３】
パイプを持つ押さえ板Ａに、挿入部を設け、軸フレームを持つ押さえ板Ｂに、挿入部保持部を設け、挿入部に複数の溝を設けたものと、凸部を持つ固定部で構成されたファイルの閉じ具。
【発明の詳細な説明】
【０００１】
［発明の属する技術分野］
文具のファイルに関するものである。
【０００２】
［従来の技術］
従来のファイルは厚みが、書類の厚みに応じて変化しないため、書類が少ない場合、ファイルの間に無駄な隙間が多くでき、棚が最大限に使えない。
【０００３】
［発明が解決しようとする課題］
ファイルの幅を書類の厚みに応じて変化させ、棚の無駄なスペースをなくするもの。
【０００４】
［課題を解決するための手段］
表裏の押さえ板の挿入部と挿入部保持部、又は、表裏の表紙の背表紙に複数の溝と凸部を設けたファイル。
【０００５】
［発明の実施の形態］
図１、２、３は、実施例１で、パイプ（１）を持つ押さえ板Ａ（２）に、挿入部保持部（３）を設け、軸フレーム（４）を持つ押さえ板Ｂ（５）に、挿入部（６）を設けたファイルの閉じ具である。
これは、既存の物であるが、既存の物は係止部が一ヶ所なので、挿入部（６）と挿入部保持部（３）が完全に挿入されるか、抜けるかの、どちらかになり、ファイルの幅が調節できない。
【０００６】
そこで、図には表していないが、挿入部に反りをもたせることにより、挿入部保持部との摩擦を大きくして、ファイルする書類の厚みに応じて，押さえ板Ａと押さえ板Ｂを押止すると安定する。
【０００７】
しかし、より安定させるため、以下の複数の溝、凸部、固定部を考えた。
図４、５、６は実施例２で、閉じ具をより確実に固定するために、挿入部保持部（３）に複数の溝（７）を設け、先端に凸部（８）を持つ固定部（９）を押さえ板Ｂ（５）に設けたものである。
【０００８】
挿入部（６）を挿入させる時は、固定部（９）を図６の様に跳ね上げて摺動させ、ファイルする書類の厚みに応じて、固定部（９）を元に戻して、凸部（８）を溝（７）に係止する。
【０００９】
図７は実施例３で、押さえ板Ａ（２）に挿入部（６）を設け、押さえ板Ｂ（５）に挿入部保持部（３）を開口側を外に向けて取り付けている。
【００１０】
図８、９、１０は実施例４で、実施例３の挿入部（６）の先端に凸部（８）を設け、固定部（９）の内側に複数の溝（７）を設けて、係止する。
【００１１】
図１１は実施例５で、従来の様に、ファイルの表紙と背表紙を一体にせず、表紙Ａ（１０）と表紙Ｂ（１１）に各々、別々に、パイプに軸フレームを挿入した長さの幅で背表紙Ａ（１２）と背表紙Ｂ（１３）を設け、ファイルする書類の厚みに応じて両方の背表紙を重ね、マジックテープ（１４）で固定する。
この場合、表紙Ａ（１０）及び表紙Ｂ（１１）は、各々、押さえ板に固定されていて、押さえ板の書類側の端くらいで縦に折れ溝（１５）を設けて外側に折れる様にすると、ファイルした書類が見やすくなる。
【００１２】
着脱はマジックテープ以外でも考えられる、たとえば、
図１２は、実施例６で、プラスティック等で、押さえ板に平行に複数の溝と凸部を両方の背表紙に設けて、両方を重ねて嵌めて背表紙を固定する方法もある。
尚、図１２は、溝（７）、及び凸部（８）が正面から描かれているが平面的には溝も凸部も押さえ板に平行に長く背表紙に設けられている。
又、この構成で溝と凸部の代わりに図１１の様にマジックテープを使用してもよい。
【００１３】
図１３、１４、１５、１６は実施例７で、挿入部（６）に、複数の溝（７）を設け、凸部（８）を持つ固定部（９）を挿入部保持部（３）に、スライド自在に取り付けたもので、固定部（９）は弾性のある材質の物を使用して、挿入部（６）を挿入部保持部（３）に入れる時は、図１３、１４の様に、弾性を利用して固定部（９）を持ち上げてスライドさせ、凸部（８）を挿入部保持部（３）の上にのせている。
そして、挿入部（６）を挿入部保持部（３）に入れて書類の厚さに合わせて、複数の溝（７）の中から適当な物を選んで固定部（９）をスライドさせ凸部（８）をその溝（７）に係止させる。
【００１４】
この図の場合、複数の溝（７）は挿入部（６）を貫通しており、凸部（８）がそれを貫通して、強固に係止される。
【００１５】
図１７、１８は実施例８で、固定部（９）が挿入部保持部（３）の先端に近い所に取り付けられていて、凸部（８）を上下させて係止する。
【００１６】
図１９、２０は実施例９で、図１３、１４、１５、１６の実施例７の固定部（９）がスライドせず、回動する様に取り付けられている。
【００１７】
これは、回動なので回動軸は押さえ板に設けてもかまわない。
【００１８】
又、図１３、１４、１５、１６の実施例７と実施例９は図７の実施例３を利用し、外側を開口し、固定部（９）を挿入部保持部（３）の内側に設けることもできる。
【００１９】
図２１は実施例１０で、実施例９と図１１の実施例５を組み合わせた物である。
【００２０】
図２２、２３は実施例１１で、図７の実施例３を利用し、挿入部（６）に複数の溝（７）を設け、固定部（９）を挿入部保持部（３）の先端に近い側面に取り付け、挿入部保持部（３）に凸部受け部（１７）を設けて、固定部（９）を回動させて凸部（８）を溝（７）と凸部受け部（１７）に入れて固定するものである。
【００２１】
図では、凸部受け部（１７）も貫通したものになっているが、凹んでいるだけでもよい。
【００２２】
図２４は実施例１２で、複数の溝（７）を挿入部（６）の側面に設け、凸部（８）を側面から挿入部保持部（３）の側面に設けた凸部受け部（１７）を貫通して係止するものである。
【００２３】
図２５は実施例１３で、複数の溝（７）を設けた固定部（９）を押さえ板に回動自在に取り付けた物である。
【００２４】
図２２、２３と図２５の挿入部保持部（３）の先端は、挿入部（６）の先端が当てやすいように、外側が切り取られている。
【００２５】
図２６は実施例１４で、凸部（８）を設けた固定部（９）を押さえ板に回動自在に取り付けた物で、複数の溝（７）を持つ挿入部保持部（３）に係止する。
【００２６】
尚、閉じ具を表した実施例１から実施例４、実施例７から実施例９、実施例１１から実施例１４までは、二組のパイプと軸フレームを、押さえ板２枚に取り付けているが、一組ずつ別けて、押さえ板を４枚にしてもよい。
【００２７】
又、その場合、挿入部及び挿入部保持部と、パイプ及び軸フレームを平面図的にずらしているが、重なる位置にしてもよい。
【００２８】
図２７、２８は実施例１５で、パイプ、及び軸フレーム方向に挿入させずに、パイプ（１）に軸フレーム（４）を挿入した後に、凸部（８）を設けて湾曲させた挿入部（６）を回動して、溝（７）を設けて挿入部（６）と同様に湾曲させた挿入部保持部（３）に挿入させて、ファイルする書類の厚みに応じて、固定するものである。この場合、回動と挿入を組み合わせているので、凸部（８）自体が固定部になっている。
【００２９】
又、凸部は一本ではなく、溝に合わせて複数にすると、より安定する。又、凸部と溝は表側だけに設けているが、裏表につけると、より安定する。
【００３０】
実施例１５は挿入部（６）と挿入部保持部（３）が一組ずつになっているが同一の押さえ板に、各々を取り付けてもよい。
【００３１】
取り付け方は色々あるが、片側の押さえ板に、パイプ（１）と軸フレーム（４）を取り付け、挿入部（６）と挿入部保持部（３）のどちらか一方又は、両方を回動自在に押さえ板に取り付けると、同一の押さえ板を二つ合わせれば使用できる。
【００３２】
図２９、３０、３１、３２は実施例１６で、内側の背表紙の内側に止め部（１６）を表紙に取り付けたもので、マジックテープ（１４）を貼る時の支えになる。
【００３３】
図３３は実施例１７で、両方の背表紙に、各々、複数の溝（７）と凸部（８）を設けて、閉じ具ではなく、表紙全体で固定するものである。
【００３４】
又、背表紙は全体的にカバーしてもいいし、上部と下部に設けて閉じ具を見える様にすれば、閉じ具が使いやすくなる。
【００３５】
図３４は実施例１８で、すべての実施例の凸部（８）の例である。
【００３６】
図３５は実施例１９で、挿入部（６）に円形の複数の溝（７）を設け、挿入部保持部（３）に貫通している凸部受け部（１７）を設けたものと、別個に凸部（８）を持つ固定部（９）で構成されている。
【００３７】
図３６は実施例２０で、挿入部保持部（３）の中に凸部（８）を入れ、中でスライドさせて係止する。
【００３８】
図３７は実施例２１で、図１７、１８の実施例８の凸部（８）を挿入部保持部（３）の側面に設けたものである。
【００３９】
図３８、３９は実施例２２で、溝（７）を挿入部（６）の側面に設け、挿入部保持部（３）の凸部受け部（１７）も側面に設けて、凸部（８）を回動させて係止している。この場合、凸部（８）は係止した時、挿入部保持部（３）より、外にはみ出しておけば、その部分が指かけ部（１９）になり使いやすい。
【００４０】
図４０は実施例２３で、図１９、２０の実施例９を応用し、複数の溝（７）を挿入部（６）の側面に設け、又、挿入部保持部（３）の側面にも凸部受け部（１７）を設けて、そこに凸部（８）を、固定部（９）を回動させて、凸部受け部（１７）と溝（７）に入れて係止している。
このようにすれば、固定部（９）に弾性はいらなくなる。
又、この場合、固定部（９）の回動軸は挿入部保持部（３）の中心線近くではなく、ずらしており、ずらす位置は逆に閉じ具の中心寄りでもかまわない。
【００４１】
又、凸部受け部（１７）を設けず、実施例９の様に挿入部保持部（３）の先端の外側で直接に挿入部（６）の溝（７）だけに凸部（８）を係止してもよい。
【００４２】
図４１は実施例２４で、実施例２３を逆にしたもので、固定部（９）と挿入部（６）の間には挿入部保持部（３）が入る隙間があけられている。
【００４３】
図４２は実施例２５で、図２５の実施例１３と図２６の実施例１４を一部変化させたもので、挿入部（６）に複数の溝（７）を設け、凸部受け部（１７）を持つ挿入部保持部（３）を設けた押さえ板側に、凸部（８）を持つ固定部（９）を回動自在に、取り付けたものである。
【００４４】
図４３は実施例２６で、図３３の実施例１７の溝（７）と凸部（８）の形状を変えたものである。
【００４５】
尚、すべての実施例で、固定部（９）の形状、大きさは問わず、又、凸部（８）と固定部（９）は一体のものであり、実施例１９や実施例１５の様に凸部（８）だけの固定部もある。又、凸部（８）は、図以外に円形、楕円形、不規則な楕円形、多角形でも、湾曲していてもよく形状は問わない、又、先端が膨らんでいても曲がっていても、湾曲していてもよく、形状は問わない。又、溝（７）は、貫通していてもいなくても、又、図以外に孔、凹形、円形、楕円形、不規則な楕円形、多角形でもよく形状は問わない。又、平面に設ける場合も図４０、４１の様に側面に設ける場合でも傾斜していても、湾曲していてもかまわない。又、挿入部（６）の形状及び断面の形状は問わない。又、凸部受け部（１７）も貫通していてもいなくてもよく形状は問わない。又、挿入する場合、摺動にちかいほうが安定する。
【００４６】
又、背表紙を重ねて係止する場合、マジックテープ以外でもかまわない、たとえば、背表紙が重なる部分に互いに粘着性のあるものを固着しても、閉じ具の様に凸部と複数の凹部を両方の背表紙に設けて嵌止したり、別個にＵ字型の部品を使って挟み込んで固定してもよい。又、その場合、Ｕ字型の部品は、どちらか片方の背表紙、又は、外側の背表紙の上端部又は下端部に回動自在又は摺動自在に取り付けて挟み込む。
【００４７】
マジックテープは実施例ではオスとメスの幅が違うがファイルを立てた状態で上端部と下端部に二列にして、外側の背表紙にオスとメスを貼り、内側の背表紙は逆にすれば、同じ長さのものが使用できる。
【００４８】
［発明の効果］
この様にすれば、溝を複数設けているので、ファイルする書類の厚みに応じて、ある程度、押さえ板Ａと押さえ板Ｂの間隔を変化させることができ、又、表紙の厚みも変えれるため、無駄なスペースができず、ファイルを収納する棚が最大限に使える。
【図面の簡単な説明】
【図１】
実施例１の平面図。
【図２】
実施例１の正面図。
【図３】実施例１の部分断面図。
【図４】実施例２の平面図。
【図５】実施例２の正面図。
【図６】実施例２の正面図。
【図７】実施例３の平面図。
【図８】実施例４の正面図。
【図９】実施例４の正面図。
【図１０】実施例４の部分断面図。
【図１１】実施例５の正面図。
【図１２】実施例６の正面図。
【図１３】実施例７の平面図。
【図１４】実施例７の正面図。
【図１５】実施例７の平面図。
【図１６】実施例７の正面図。
【図１７】実施例８の平面図。
【図１８】実施例８の正面図。
【図１９】実施例９の平面図。
【図２０】実施例９の正面図。
【図２１】実施例１０の正面図。
【図２２】実施例１１の平面図。
【図２３】実施例１１の部分右側面図。
【図２４】実施例１２の平面図。
【図２５】実施例１３の分解斜視図。
【図２６】実施例１４の分解斜視図。
【図２７】実施例１５の正面図。
【図２８】実施例１５の底面図。
【図２９】実施例１６の正面図。
【図３０】実施例１６の正面図。
【図３１】実施例１６の部分斜視図。
【図３２】実施例１６の部分斜視図。
【図３３】実施例１７の分解斜視図。
【図３４】実施例１８の部分正面図。
【図３５】実施例１９の平面図。
【図３６】実施例２０の平面図。
【図３７】実施例２１の平面図。
【図３８】実施例２２の平面図。
【図３９】実施例２２の部分右側面図。
【図４０】実施例２３の平面図。
【図４１】実施例２４の平面図。
【図４２】実施例２５の分解斜視図。
【符号の説明】
（１）    パイプ                （２）    押さえ板Ａ
（３）    挿入部保持部          （４）    軸フレーム
（５）    押さえ板Ｂ            （６）    挿入部
（７）    溝                    （８）    凸部
（９）    固定部                （１０）  表紙Ａ
（１１）  表紙Ｂ                （１２）  背表紙Ａ
（１３）  背表紙Ｂ              （１４）  マジックテープ
（１５）  折れ溝                （１６）  止め部
（１７）  凸部受け部            （１８）  保持部挟み部
（１９）  指かけ部
【図１】
2004216848.tif 000003
【図２】
2004216848.tif 000004
【図３】
2004216848.tif 000005
【図４】
2004216848.tif 000006
【図５】
2004216848.tif 000007
【図６】
2004216848.tif 000008
【図７】
2004216848.tif 000009
【図８】
2004216848.tif 000010
【図９】
2004216848.tif 000011
【図１０】
2004216848.tif 000012
【図１１】
2004216848.tif 000013
【図１２】
2004216848.tif 000014
【図１３】
2004216848.tif 000015
【図１４】
2004216848.tif 000016
【図１５】
2004216848.tif 000017
【図１６】
2004216848.tif 000018
【図１７】
2004216848.tif 000019
【図１８】
2004216848.tif 000020
【図１９】
2004216848.tif 000021
【図２０】
2004216848.tif 000022
【図２１】
2004216848.tif 000023
【図２２】
2004216848.tif 000024
【図２３】
2004216848.tif 000025
【図２４】
2004216848.tif 000026
【図２５】
2004216848.tif 000027
【図２６】
2004216848.tif 000028
【図２７】
2004216848.tif 000029
【図２８】
2004216848.tif 000030
【図２９】
2004216848.tif 000031
【図３０】
2004216848.tif 000032
【図３１】
2004216848.tif 000033
【図３２】
2004216848.tif 000034
【図３３】
2004216848.tif 000035
【図３４】
2004216848.tif 000036
【図３５】
2004216848.tif 000037
【図３６】
2004216848.tif 000038
【図３７】
2004216848.tif 000039
【図３８】
2004216848.tif 000040
【図３９】
2004216848.tif 000041
【図４０】
2004216848.tif 000042
【図４１】
2004216848.tif 000043
【図４２】
2004216848.tif 000044
【図４３】
2004216848.tif 000045
【手続補正書】
【提出日】平成15年4月16日(2003.4.16)
【手続補正１】
【補正対象書類名】明細書
【補正対象項目名】図４３
【補正方法】追加
【補正の内容】
【図４３】実施例２６の分解斜視図。